(57)【要約】  【課題】クッション材を張らなくとも高いフィット性を得ることのできる合成樹脂製座板及び背板を提供する。  【手段】例えば座板１は、ループ状のフレーム部２とその内側に広がる受圧部３とからなり、両者は合成樹脂で一体に成形されている。受圧部３は多数の条体４，５の群が交叉した網状構造になっている。このため、受圧部３は着座者の体圧によって沈み込むように撓み変形する。受圧部３は網状構造であるため表面の形状や強度を場所によってきめ細かに変えることができる。このため、クッション材を張らなくても高いフィット性とクッション性を得ることができ、その結果、座り心地の良い椅子でありながら、製造コストと廃棄処理コストを抑制することが可能になる。【選択図】    図１
2005160558.tif 000002
【特許請求の範囲】
【請求項１】
着座者の体圧が掛かる受圧部とその周囲を囲うように延びるフレーム部とを合成樹脂によって一体成形しており、前記受圧部を、着座者の体圧によって撓み変形する柔軟構造としている、
椅子の座板又は背板。
【請求項２】
合成樹脂製であって着座者の体圧が掛かる受圧部を、着座者の体圧によって撓み変形し得る柔軟構造と成しており、かつ、受圧部において着座者の体圧が作用する受圧面を、着座者の身体にフィットし得る立体形状に形成しており、更に、受圧部は、着座者への突き上げ感を無くした又は軽減した状態に撓み変形するように場所によって弾性強度を異ならせている、
椅子の座板又は背板。
【請求項３】
前記受圧部は、細長く延びる条体の多数本が交叉した網状構造と成すことにより、容易に撓み変形することと、場所によって弾性強度を変えることと、加圧面を立体形状にすることとが容易ならしめられている、
請求項１又は請求項２に記載した椅子の座板又は背板。
【請求項４】
前記受圧部は、ジグザグ状や波形のように非直線状に延びる縦条体と横条体との群を交叉させることによって網状構造になっている、
請求項３に記載した椅子の座板又は背板。
【請求項５】
請求項１〜請求項４のうちの何れに記載した座板又は背板を備えている椅子。
【発明の詳細な説明】
【技術分野】
【０００１】
本願発明は、椅子及びその座板並びに背板に関するものである。
【背景技術】
【０００２】
椅子の座や背もたれは様々の構造のものがある。例えば事務用の椅子で最も多く採用されているのは、合成樹脂製の座板及び背板にクッション材を張った構造である。また、クッション材を張らずに、合成樹脂製の座板及び背板を露出させたタイプもある。更に、ループ状のフレームにネットを張った構造もある。
【発明の開示】
【発明が解決しようとする課題】
【０００３】
座板や背板にクッション材を張っているのはクッション性を確保するためであるが、クッション材は使用しているうちに潰れ変形して弾性が低下するため、クッション材のみで十分なフィット性を得ることは難しい。また、クッション材を張るとそれだけコストが嵩むと共に、椅子を廃棄した後の処理コストや環境負荷の問題もある。
【０００４】
また、フレームにネットを張った構造のものは、着座者へのフィット性及び通気性に優れている利点を有するが、フレームにネットを固定するために多大の手間が掛かるのみならず、フレームとネットとは別素材であるため廃棄した後の処理の問題は依然として残っている。
【０００５】
他方、座や背もたれを座板及び背板のみで構成したタイプでは、製造コスト及び廃棄処理コストを抑制できると共に環境負荷も小さいという利点を有するが、クッション性は殆どないため座板り心地は悪く、このため一般化するには至っていないのが実情である。
【０００６】
本願発明は、このような現状を改善することを課題とするものである。
【課題を解決するための手段】
【０００７】
ところて、既述のように、座や背もたれを合成樹脂製の座板のみ又は背板のみで構成したものは、製造コスト及び廃棄処理コストを抑制できると共に環境負荷も小さいという利点があり、クッション性・フィット性の問題を解消できれば高い市場性が期待できると言える。
【０００８】
他方、本願出願人は、特開２０００−９３２５０号公報において、合成樹脂製の座板に多数のスリット群を形成して、着座者の体圧が強く掛かる部分が大きく撓み変形するように構成した椅子を開示しており、この座板を備えた椅子は座り心地に優れていて市場で高い評価を受けている。
【０００９】
本願発明者たちは、このような知見を基にして研究を重ねることによって本願発明を完成させるに至った。
【００１０】
すなわち請求項１の発明は、着座者の体圧が掛かる受圧部とその周囲を囲うように延びるフレーム部とを合成樹脂によって一体成形しており、前記受圧部を、着座者の体圧によって撓み変形する柔軟構造としている。
【００１１】
請求項２の発明に係る座板又は背板は、合成樹脂製であって着座者の体圧が掛かる受圧部を、着座者の体圧によって撓み変形し得る柔軟構造と成しており、かつ、受圧部において着座者の体圧が作用する加圧面を、着座者の身体にフィットし得る立体形状に形成しており、更に、受圧部は、着座者への突き上げ感を無くした又は軽減した状態に撓み変形するように場所によって弾性強度を異ならせている。
【００１２】
請求項３の発明では、前記受圧部を、細長く延びる条体の多数本が交叉した網状構造と成すことにより、容易に撓み変形することと、場所によって弾性強度を変えることと、受圧面を立体形状にすることとが容易ならしめられている。
【００１３】
更に、受圧部を網状の構造とするにおいて、請求項４の発明では、前記受圧部は、ジグザグ状や波形のように非直線状に延びる縦条体と横条体との群を交叉させることによって網状構造になっている。
【００１４】
本願発明は、請求項４に記載したように、請求項１〜請求項４のうちの何れに記載した座板又は背板を備えた椅子も含んでいる。なお、合成樹脂の素材としては、価格や強度、或いはリサイクルの容易性の点からポリプロピレン樹脂が好ましい（もちろん、ＦＲＰ等の他の樹脂を使用しても良い）。
【発明の効果】
【００１５】
請求項１の発明では、合成樹脂製の受圧部が高い柔軟性を備えているため、クッション材を張らなくとも十分なクッション性・フィット性を確保することができる。このため、製造コスト及び廃棄処理コストを抑制できると共に環境負荷の小さい椅子を提供することが可能となる。
【００１６】
請求項２のように構成すると、受圧部の受圧面（座板の場合は上面で背板の場合は前面）が着座者の身体のもともとフィットする立体形状であることと、受圧部の弾性強度を場所によって異ならせて着座者の重みで撓み変形した状態で突き上げ感じを無くすか抑制できるため、座り心地をより一層向上させることができる。
【００１７】
請求項３及び請求項４のように受圧部を網状構造にすると、受圧面を立体構造に形成することは射出成形法や反応成形法によって簡単に実現することができ、また、網目の密度を変えたり断面積を変えたりすることにより、弾性力を場所によって異なるせることも簡単に実現できる。換言すると、受圧部を網目状構造にすると、受圧部の各部位においてその断面形状や弾性強度を自在に設定できるため、着座者の身体のプロフィールに応じた表面形状にすることと、着座者の体圧分布に応じた強度分布とにすることとを容易に実現できるのである。
【００１８】
更に、従来のネット椅子ではネットは縦糸と横糸とが交叉した単純なパターンしか形成できなかったが、本願発明では様々の網目状パターンを形成できるため、デザインの自由性が格段に高くなるという利点もある。また、通気性に優れている利点もある。
【発明を実施するための最良の形態】
【００１９】
次に、本願発明の実施形態を図面に基づいて説明する。
【００２０】
(1).第１実施形態（図１〜図４）
図１〜図４では第１実施形態を示している。本実施形態は座板（座シェル）１に適用したもので、図１は簡略表示した平面図、図２は図１の部分拡図、図３は図１の III-III視概略断面図、図４は図１のIV−IV視概略断面図である。
【００２１】
座板１は合成樹脂を素材とした射出成形（反応成形でも良い）で製造されており、外周部を構成する閉ループ状のフレーム部２と、フレーム部２の内側に広がる受圧部３とからなっており、フレーム部２と受圧部（座面部）３とは一体成形されている。フレーム部２は着座者の体圧によっては撓み変形しない剛体構造であり、図示しない座受け部材にねじ止め等の適宜手段で取り付けられている。
【００２２】
受圧部３は、前後方向に延びる縦条体４の群と左右方向に延びる横条体５の群とを交叉させて成り、多数の網目を有する網状（ネット状）の外観を呈している。各条体４，５の厚さや交叉ピッチは、人が着座したときに受圧部３の全体として違和感を与えない程度の面積が確保できるように設定したら良い。
【００２３】
図２から理解できるように、縦条体４は波打った状態で前後方向に延びており、横条体５は波打った状態で左右方向に延びている。このため各条体４，５はその長手方向に延び変形することが可能であり、この延び変形により、着座者の体圧が掛かると受圧部３は下向きに沈み込むように弾性変形する。
【００２４】
そして、図３及び図４に示すように、各条体４，５は、着座者の体圧が強くかかる部分（臀部が当たる部分）は薄肉となるように厚さ（上下方向の肉厚）を変化させることにより、着座者の体圧が強くかかる部分ほど大きく撓み変形（しなり変形）するように、弾性強度（弾性率又は硬さと言ってもよい）を場所によって細かく異ならせている（なお、図３では縦条体４は表示しておらず、図４では横条体５は表示していない）。
【００２５】
このため、受圧部３は着座者の身体に倣うように撓み変形して、着座者が部分的に突き上げ感を受けることを防止でき、その結果、クッション材を張らなくても高いクッション性・フィット性を得ることができる。また、フレーム部２と受圧部３とは一体成形されているため、製造コスト及び組立コストを抑制できる共に、廃棄後の処理やリサイクルに要する手間とコストを抑制できる。
【００２６】
着座者の体圧が強くかかる部分ほど大きく沈み込み変形するように受圧部３の弾性率を変える方法としては、実施形態のように条体４，５の上下肉厚を変えることに代えて（又はこれに加えて）、各条体４，５の水平方向の厚さ寸法を変えることや、縦横の条体４，５の交叉ピッチ（換言すると網目のピッチ）を変えることを採用することも可能である。各条体４，５はジグザグ状に延びる形態にするなどしても良い。受圧部３の上面を、着座者の臀部や大腿部を包み込むような立体形状に形成することも可能である（この点は他の実施形態で後述する）。
【００２７】
(2).第２実施形態（図５）
ところで、射出成形法によって座板１を成形するにおいて、受圧部３が網状であると受圧部３を成形するにおいて、金型内のキャビティに樹脂が流れにくいという問題がある。
【００２８】
この点への対策として、図５に示す第２実施形態では、受圧部３の中央部にゲートが来るように金型を設定した場合において、ゲートから放射方向に延びてフレーム部用キャビティに連通するランナーを設けて、ランナーからも樹脂が網目状のキャビティに流れるように設定してい。このため、成形された後の受圧部３には、ゲート後部６とランナー後部７とが残っており、条体４，５はランナー後部７にも接続されている。
【００２９】
斜め方向に延びるランナー後部７は途中で屈曲するように非直線状に形成しており、このため受圧部３の撓み変形が阻害されることはない。むしろ、受圧部３の弾性率を場所によって異ならせる異硬度手段にランナー後部７を利用することにより、より高いフィット性を得ることが可能となる。なお、金型内のキャビティに複数のゲートから樹脂を注入しても良いことはいうまでもない。
【００３０】
(3).第３実施形態（図６）
図６では第３実施形態を示している。この実施形態では、座板１において、受圧部３のうち着座者の体圧が強く掛かる後半部を、放射状条体８とこれに交叉する環状条体９とで構成し、かつ、クモの巣の中心になる部分にはセンター筒体１９を、クモの巣の周縁になる部分にはエンド筒体１１を形成して、筒体１０，１１に条体８，９を接続している。各条体４，５，８，９は直線に描いているが、実際には、長手方向に延び変形するように波形やジグザグ状に形成するのが好ましい。
【００３１】
図面では表示していないが、エンド筒体１１を繋ぐ線よりも外側の部分は縦条体４と横条体５とから成る波目状構造にしている。もちろん、受圧部３の後半部の全体を放射状条体８と環状条体９とからなるクモの巣状の構造にしたり、受圧部３の全体をクモの巣状の構造にしたりすることも可能であり、このように条体群からなるパターンを自由に設定できるのが本願発明の特徴の一つである。
【００３２】
この実施形態では、網目の密度や各条体４，５，８，９の断面形状、或いは受圧部３の上面の形状等を場所によってきめ細かく異ならせることが極めて容易であり、このため、長時間使用しても着座者が疲れや痛みを感じない快適な座り心地の椅子をなし得る。
【００３３】
(4).第４実施形態（図７）
図７に示すのは第４実施形態に係る座板１の部分的な正断面図である。この実施形態では、人が着座した状態で臀部１２が正面視で２山状のプロフィールを成していることから、受圧部３の上面（受圧面）を、人の臀部１２の形状に合わせて凹み１３が左右に振り分けて形成された立体形状に形成している。このため、高いフィット性を得ることができる。なお、凹み１３は側断面視においても存在している。
【００３４】
なお、この図７に二点鎖線で示すように、座受け部に、受圧部３が過度に沈み込み変形することを阻止するストッパー手段１４を設けても良い（この点は他の実施形態も同じである）。このようにストッパー手段１４を設けると、過大な圧力が掛かっても受圧部３が破断したり塑性変形したりすることはない。
【００３５】
(5).第５実施形態（図８〜図９）
図８及び図９では第５実施形態を示している。図８は概略平面図、図９は図８のIX−IX視線での概略断面図である。
【００３６】
ところで、椅子の座り心地には様々の要因が作用している。座との関係で座り心地を考察すると、身体の特定の部位への突き上げ感が生じないことと、適度の反力（クッション作用）があることが重要であると言える。更に身体の突き上げ感は身体の神経密度や脂肪の量とも密接に関連しており、臀部は外からの刺激（この場合は圧迫）に対して鈍感であるのに対して、大腿部は外からの刺激には敏感であると言える。また、臀部においても座骨の箇所では肉が圧迫を受けるため、他の部位よりも刺激には弱い（すなわち、圧迫感を受け易い）と言える。
【００３７】
従って、座板１を設計するにおいては、人が着座したときに身体のどの部分でどのように負担を分散させるかということが重要である。逆にいうと、着座者の体圧を受圧部３にどのように分散させるかということが重要である。最適の体圧分布を詳細に解明するには至っていないが、座り心地の良い座板の条件としては、一般的には、臀部は全体を受圧部３で包み込むようにして支持すること、座骨の箇所ではできるだけ加圧を少なくすること、座板の前部による大腿部の突き上げ感は可能な限りなくすべきであること、といったことが挙げられる。
【００３８】
そして、好ましい体圧分布の座板１を得るためには、着座する前の状態での受圧部３の上面の形状と、着座した後の受圧部３の弾性強度分布とが密接に関連していると言える。蓋し、受圧部３の上面の形状はフィット性に密接に関連しており、また、弾性強度分布はクッション性に密接に関連しているからである。
【００３９】
このような知見に基づき、第５実施形態では、先ず、受圧部３の上面を、人の臀部に対応した凹み１３がある形状とし、かつ、座板１の前端部１ａは容易に撓み変形しやすい構造にしている。
【００４０】
受圧部３は、例えば第１実施形態と同様に条体群が交叉した網状構造であり、各条体は波形等であってその長手方向に延び変形し得る。図８では、網条構造を網かけ表示で簡略表示しており、網かけの密度が高いほど撓み変形（延び変形）し易いことを示している。
【００４１】
そして、この網掛け表示の密度から理解できるように、凹み１３のうち人の座骨が当たる部分を中心とした部分１３ａは特に撓み変形しやすい構造にし、更に、臀部が過度に沈み込み過ぎると安定性の低下や締め付け感を招来する虞があるので、凹み１３はある程度の保形性を持ちながら撓み変形が許容された弾性力とし、凹み１３の周囲が良く延びるように設定している。
【００４２】
このように形成することにより、受圧部３は上面の初期形状（着座前の形状）をある程度保持しつつ、着座者の体圧によって沈み込み変形することが許容されて、長時間使用しても圧迫感を受けない快適な座り心地を得ることができると期待できる。そして、受圧部３は網状構造であるため、網目の密度や断面形状・断面積等をきめ細かに変えることを極めて容易にでき、その結果、受圧部３を好適な表面形状と好適な強度分布とに容易に加工できるのである。
【００４３】
なお、この座板１の構造は一例であり、更に好適な構造が存在することを想定される。
【００４４】
(6).第６実施形態（図10〜図11）
図１０及び図１１では第６実施形態を示している。図１０のうち（Ａ）は正面図、（Ｂ）は（Ａ）のＢ−Ｂ視断面図、図１１は図１０（Ａ）のXI−XI視断面図である。
【００４５】
この実施形態では、座板１と背板１５とが一体に繋がった状板に成形した場合において、背板１５を、閉ループ状のフレーム部１６と、これを横切るように延びる複数段（３段）の仕切り体１７と、仕切り体１７で仕切られた状態に配置された受圧部１８ａ〜１８ｄとで構成している。敢えて説明するまでもないが、各受圧部１８ａ〜１８ｄはフレーム部１７，１８と一体に繋がっている。
【００４６】
各受圧部１８ａ〜１８ｄは網かけ模様で簡略して表示しており、斜め方向に延びる条体の群を交叉させて網状に形成している。また、各条体はその長手方向に延び変形するように波形やジグザグ状等に形成している。各受圧部３の撓み変形のし易さは網掛け表示の密度で表しており、着座者の体圧（背もたれ荷重）が最も強く作用する第３受圧部１８ｃが最も容易に撓み変形するように設定している。このため、背板も、クッション材を張ることなく高いフィット性を得ることができる。
【００４７】
なお、本実施形態のように座板１と背板１５とを一体化した場合、座板１のフレーム部２と背板１５のフレーム部１６とは全体としてループ状になっておれば足り、従って、座板１における受圧部３の後端と背板１５における受圧部１８の下端とが接続されていたり、逆に空間が空いていたりしても良い。また、フレーム部２，１６は板状でも良いのである。
【００４８】
(7).第７実施形態（図12〜図13）
図１２〜図１３では第７実施形態を示している。これも背板１５に適用したもので、図１２は背板１５の正面図、図１３は図１２のXIII−XIII視断面図である。
【００４９】
この実施形態では、背板１５の受圧部１８を多数の条体の群で構成した場合において、その硬さ（弾性率）が滑らかに変化するように設定している（図１２では、網かけ表示の密度が高いほど撓み変形し易いことを示している）。
【００５０】
(8).第８実施形態（図14）
図１４に示す第８実施形態では、座板１又は背板１５において、受圧部３，１８を斜め方向に延びる条体部１９，２０の群で網目状に形成しており、このため菱形の穴２１が並んだパターンになっている。換言すると、ジグザグ状に延びる条体の群を接続した形態になっている。
【００５１】
そして、着座者の体圧が受圧部３，１８に掛かると、受圧部３，１８は図１４に矢印で示すように縦横の両方向に延び変形し、その結果、受圧部３，１８は体圧によって加圧方向に凹み変形することになる。
【００５２】
(9).第９実施形態（図15〜図16）
図１５〜図１６では第９実施形態を示している。図１５は平面図（正面図）、図１６は図１５の XVI-XVI視断面図である。
【００５３】
この実施形態では、受圧部３，１８は縦横（或いは斜め方向）に整列した配置された多数の単位板部２２と、隣合った単位板部２２を繋ぐブリッジ部２３とで構成されており、ブリッジ部２３を湾曲した断面形状とすることにより、隣合った単位板部２３の間隔が広がること（すなわち受圧部３，１８が加圧方向に凹むように撓み変形すること）を許容している。
【００５４】
本実施形態では各ブリッジ部２３は互いに分断しているが、単位板部２２の周囲がブリッジ部２３で完全に囲われる形態と成すことも可能であり、従って、受圧部３，１８は、穴が空いていない状態で撓み変形を許容し得るのである。
【００５５】
(10). 第１０実施形態（図17）
図１７では第１０実施形態を示している。この実施形態では、受圧部３，１８は多数の条体２４によって亀甲模様状の網状に形成されている。従って、左右方向の撓みの程度が大きくて、上下方向（座の場合は前後方向）の撓みの程度は小さい。
【００５６】
(11). その他
本願発明は上記の実施形態の他にも様々に具体化することができる。例えば受圧部の構造（パターン）は、デザイン上の要請や強度面からの要請に応じて様々に展開することができる。更に、本願発明の座板や背もたれは各種の椅子（ソファー）に適用することができる。また、請求項には含まれていないが、本願発明ベッドや担架等の椅子以外の身体支持装置にも適用可能である。
【００５７】
また、本願発明の座板や背板はクッション材なしで使用することに好適であるが、クッション材を設けた使用方法を排除するものではない。また、請求項からは離脱するが、射出成形法等よってフレーム部を備えていない受圧部のみを製造して、これを金属製等の枠体等に固定することも可能である。
【図面の簡単な説明】
【００５８】
【図１】第１実施形態の平面図である。
【図２】図１の部分拡大図である。
【図３】図１の III-III視概略断面図である。
【図４】図１のIV−IV視概略断面図である。
【図５】第２実施形態の平面図である。
【図６】第３実施形態を示す図である。
【図７】第４実施形態を示す図である。
【図８】第５実施形態の平面図である。
【図９】図８のIX−IX視線での概略断面図である。
【図１０】第６実施形態を示す図で、（Ａ）は正面図、（Ｂ）は（Ａ）のＢ−Ｂ視断面図である。
【図１１】図１０（Ａ）のXI−XI視断面図である。
【図１２】第７実施形態の正面図である。
【図１３】図１２のXIII−XIII視断面図である。
【図１４】第８実施形態の正面図である。
【図１５】図９実施形態の視断面図である。
【図１６】図１５のXIV-XIV 視断面図である。
【図１７】図１０実施形態を示す図である。
【符号の説明】
【００５９】
１  座板
２  座板のフレーム部
３  座板の受圧部
４  縦条体
５  横条体
８  放射状条体
９  環状条体
１５  背板
１６  フレーム部
【図１】
2005160558.tif 000003
【図２】
2005160558.tif 000004
【図３】
2005160558.tif 000005
【図４】
2005160558.tif 000006
【図５】
2005160558.tif 000007
【図６】
2005160558.tif 000008
【図７】
2005160558.tif 000009
【図８】
2005160558.tif 000010
【図９】
2005160558.tif 000011
【図１０】
2005160558.tif 000012
【図１１】
2005160558.tif 000013
【図１２】
2005160558.tif 000014
【図１３】
2005160558.tif 000015
【図１４】
2005160558.tif 000016
【図１５】
2005160558.tif 000017
【図１６】
2005160558.tif 000018
【図１７】
2005160558.tif 000019